(57)【要約】【課題】スロットマシンから設定値に関する信号を検出し、店舗内のスロットマシンの設定値を常時把握する。【解決手段】子機１２を、電源部３０の電源スイッチ２１のオンオフ操作毎にオンオフ状態を検知し、対応するオンオフ状態信号を出力するオンオフ状態検出手段としての電源センサ２５と、設定スイッチ２３の押下操作毎に設定値状態を検知し、対応する設定値状態信号を出力する設定値状態検出手段としての設定値センサ２６と、スタートレバー２０の叩打操作毎に叩打状態を検知し、対応する叩打状態信号を出力する叩打状態検出手段としての外部集中端子板２７と、電源センサ２５、設定値センサ２６及び外部集中端子板２７で検知されたそれぞれの状態信号を書き込むと共に読み出し可能に格納する状態信号格納手段２８と、を備えて構成する。【選択図】図２
2008012270.tif 000002
【特許請求の範囲】
【請求項１】
当たり確率の高低を表す設定値を、７つの発光素子によって発光表示する設定値表示手段と、
接続先のホールコンピュータで稼働状態を管理するために必要となる稼働状態信号を、予め定められた出力端子から出力する集中端子板と、を備えるスロットマシンに取り付けられ、
７つの発光素子のうち、設定値を判別するために必要な発光素子の組み合わせを抽出し、
抽出することによって発光素子を選択し、選択した発光素子について点灯及び消灯のいずれかの一方の発光状態を検知し、対応する設定値状態信号を出力する設定値状態検出手段と、
設定値状態信号または稼働状態信号のうち、少なくとも設定値状態信号を読み書き自在に格納する状態信号格納手段と、
を備えてなる、
ことを特徴とするスロットマシン用状態信号検出装置。
【請求項２】
設定値状態検出手段は、
選択した発光素子が全て消灯したか否かを検知するとともに、全て消灯したことが検知された後、選択した発光素子のいずれかについて消灯から点灯する発光状態の変化を検知し、対応する設定値状態信号を出力するものである、
請求項１に記載のスロットマシン用状態信号検出装置。
【請求項３】
電源をオンオフするオンオフ操作手段、当たり確率の高低を表す設定値を変更操作する変更操作手段、及び、設定値の変更を確定操作する確定操作手段を備えるスロットマシンに取り付けられ、オンオフ操作手段、変更操作手段、及び、確定操作手段のそれぞれの操作状態に対応するオンオフ状態信号、設定値状態信号、及び、確定状態信号を検出するスロットマシン用状態信号検出装置であって、
オンオフ操作手段の操作毎にオンオフ状態を検知し、対応するオンオフ状態信号を出力するオンオフ状態検出手段と、
変更操作手段の操作毎に設定値状態を検知し、対応する設定値状態信号を出力する設定値状態検出手段と、
確定操作手段の操作毎に確定状態を検知し、対応する確定状態信号を出力する確定状態検出手段と、
オンオフ状態信号、設定値状態信号、及び、確定状態信号を読み書き自在に格納する状態信号格納手段と、を備えてなる、
ことを特徴とするスロットマシン用状態信号検出装置。
【請求項４】
請求項１〜３の状態信号格納手段で格納される格納対象信号に応じて、個別に、設定値状態検出手段を検知動作及び出力動作させるとともに状態信号格納手段を格納動作させる状態信号検出プログラムを複数記憶するプログラム記憶手段と、
記憶された複数の状態信号プログラムのうち、自己の格納対象信号に応じて、実行させる一の状態信号プログラムを選択する選択手段と、
を備えてなる、
ことを特徴とするスロットマシン用状態信号検出装置。
【請求項５】
当たり確率の高低を表す設定値を表示する設定値表示手段を備えるスロットマシンであって、
設定値表示手段の表示状態に対応する設定値状態信号を生成する設定値状態信号生成手段と、
生成された設定値状態信号を出力する出力端子と、を備えてなる、
ことを特徴とするスロットマシン。
【請求項６】
所定エリア内のスロットマシンに取り付けられた請求項１乃至４のいずれかの状態信号検出装置、または、請求項５のスロットマシンと、
所定エリア外に設置され、基準となる設定値情報を予め格納した情報端末と、を備え、
所定エリア内と所定エリア外とのうち、少なくとも一方に、
設定値状態信号及び情報端末の設定値情報に基づいて、設定値の変更操作が不正か否かを判定する判定手段を設けてなる、
ことを特徴とする設定値の不正変更監視システム。
【請求項７】
請求項６に記載の設定値の不正変更監視システムで規定された所定エリア内と所定エリア外とのうち、少なくとも一方に、状態信号検出装置に格納された設定値状態信号、または出力端子から出力された設定値状態信号を、第１通信手段を介して格納するサーバ手段を設け、
サーバ手段は情報端末に格納された設定値情報を、情報端末はサーバ手段に格納された設定値状態信号を、第２通信手段を介して相互に格納するものである、
ことを特徴とする設定値の不正変更監視システム。
【発明の詳細な説明】
【技術分野】
【０００１】
本発明は、スロットマシンにおいて、設定値の変更操作に関連する各種の操作状態信号を検出するスロットマシン用状態信号検出装置と、設定値の不正変更を監視する不正変更監視システムと、操作状態信号の出力端子を備えたスロットマシンとに関する。
【背景技術】
【０００２】
従来、設定値の変更を監視する技術として、例えば、特許文献１に記載されたものが開示されている。この技術は、電源の投入の際に設定用スイッチが操作されることにより設定変更可能な状態になり、予め定められた手順に従い設定変更を行う制御部を備える遊技機において、内部動作に関する設定変更を行うための設定用スイッチが操作されたとき、電源電圧を監視し、電源オフから予め定められた時間経過した後に電源がオンになった場合に、設定変更可能なモードに移行するように構成されている。この技術によれば、電源オンオフ時間や設定スイッチの操作時間を監視することにより不正行為を識別し、営業中に行われる不正行為による設定変更を防止することができる。
【０００３】
【特許文献１】特開２００５−１９２７２３号公報
【発明の開示】
【発明が解決しようとする課題】
【０００４】
しかし、この不正行為防止方法では、各スロットマシンの設定値を確認変更操作したこと自体は把握できるが、確認変更操作後の設定値を店舗外の従業員が常時把握することはできない。そのため、当たり確率が適正となるように予め指示された設定値に従い、全てのスロットマシンの設定値を正しく設定したとしても、その後、例えば店舗内の従業員によって設定値の変更操作が行われた場合には、指示された設定値と等しいのかどうかを即時に確認できない。また、設定値の不正変更をしないまでも、現在の設定値を表示させて当たり確率の高低を把握する確認操作に対処することはできない。して契約客に事前に教える拡大のこのような店舗内の従業員による内部不正には対応が困難であった。
【０００５】
そこで、上記問題点に鑑み、スロットマシンを追加工することなく設定値を把握するための各種の状態信号を取り出すことができ、店舗内のスロットマシンの設定値を常時把握できる状態信号検出装置、及び設定値の不正変更監視システムの提供を課題とする。
【課題を解決するための手段】
【０００６】
上記課題を解決するため、請求項１の発明に係るスロットマシン用状態信号検出装置は、当たり確率の高低を表す設定値を、７つの発光素子によって発光表示する設定値表示手段と、接続先のホールコンピュータで稼働状態を管理するために必要となる稼働状態信号を、予め定められた出力端子から出力する集中端子板と、を備えるスロットマシンに取り付けられ、７つの発光素子のうち、設定値を判別するために必要な発光素子の組み合わせを抽出し、抽出することによって発光素子を選択し、選択した発光素子について点灯及び消灯のいずれかの一方の発光状態を検知し、対応する設定値状態信号を出力する設定値状態検出手段と、稼働状態信号または設定値状態信号のうち、少なくとも設定値状態信号を読み書き自在に格納する状態信号格納手段と、を備えて構成される。
【０００７】
請求項２の発明に係るスロットマシン用状態信号検出装置は、設定値状態検出手段が、選択した発光素子が全て消灯したか否かを検知するとともに、全て消灯したことが検知された後、選択した発光素子のいずれかについて消灯から点灯する発光状態の変化を検知し、対応する設定値状態信号を出力するものであるように構成される。
【０００８】
請求項３の発明に係るスロットマシン用状態信号検出装置は、電源をオンオフするオンオフ操作手段、当たり確率の高低を表す設定値を変更操作する変更操作手段、及び、設定値の変更を確定操作する確定操作手段を備えるスロットマシンに取り付けられ、オンオフ操作手段、変更操作手段、及び、確定操作手段のそれぞれの操作状態に対応するオンオフ状態信号、設定値状態信号、及び、確定状態信号を検出するスロットマシン用状態信号検出装置であって、オンオフ操作手段の操作毎にオンオフ状態を検知し、対応するオンオフ状態信号を出力するオンオフ状態検出手段と、変更操作手段の操作毎に設定値状態を検知し、対応する設定値状態信号を出力する設定値状態検出手段と、確定操作手段の操作毎に確定状態を検知し、対応する確定状態信号を出力する確定状態検出手段と、オンオフ状態信号、設定値状態信号、及び、確定状態信号を読み書き自在に格納する状態信号格納手段と、を備えてなるように構成される。
【０００９】
請求項４の発明に係るスロットマシン用状態信号検出装置は、請求項１〜３の状態信号格納手段で格納される格納対象信号に応じて、個別に、設定値状態検出手段を検知動作及び出力動作させるとともに状態信号格納手段を格納動作させるための状態信号検出プログラムを複数記憶するプログラム記憶手段と、記憶された複数の状態信号プログラムのうち、自己の格納対象信号に応じて、実行させる一の状態信号プログラムを選択する選択手段と、を備えてなるように構成される。
【００１０】
請求項５の発明に係るスロットマシンは、当たり確率の高低を表す設定値を表示する設定値表示手段を備えるスロットマシンであって、設定値表示手段の表示状態に対応する設定値状態信号を生成する設定値状態信号生成手段と、生成された設定値状態信号を出力する出力端子と、を備えてなるように構成される。
【００１１】
請求項６の発明に係る設定値の不正変更監視システムは、所定エリア内のスロットマシンに取り付けられた請求項１乃至４のいずれかの状態信号検出装置、または、請求項５のスロットマシンと、所定エリア外に設置され、基準となる設定値情報を予め格納した情報端末と、を備え、所定エリア内と所定エリア外とのうち、少なくとも一方に、設定値状態信号及び情報端末の設定値情報に基づいて、設定値の変更操作が不正か否かを判定する判定手段を設けてなるように構成される。
【００１２】
請求項７の発明に係る設定値の不正変更監視システムは、請求項７に記載の設定値の不正変更監視システムで規定された所定エリア内と所定エリア外とのうち、少なくとも一方に、状態信号検出装置に格納された設定値状態信号、または出力端子から出力された設定値状態信号を、第１通信手段を介して格納するサーバ手段を設け、サーバ手段は情報端末に格納された設定値情報を、情報端末はサーバ手段に格納された設定値状態信号を、第２通信手段を介して相互に格納するものであるように構成される。
【００１３】
ここで、「格納」とは、各信号を、所定のデータ形式で所定の記憶領域に記憶することをいう。また「記憶」は、中継的に記憶する形態を含むものとする。
【発明の効果】
【００１４】
請求項１〜４の発明によれば、スロットマシンを追加工することなく、非接触で容易に取り付けることができ、設定値の変更操作に関連する操作信号を検出して格納することができる。特に、請求項１の発明によれば、発光素子の発光状態に対応することによって設定値状態信号を検出するので、スロットマシン内の制御回路等から周辺環境へ放射されるノイズに対して、装置の耐ノイズ性を向上させることが可能となる。よって、検知した設定値状態信号と格納する設定値状態信号と同一性の確保が容易となり、装置の信頼性を向上できる。また請求項２の発明によれば、設定値表示手段の発光状態のみに基づき設定値状態信号を検出でき、構成を簡素化できる。また請求項４の発明によれば、状態信号格納手段で格納される格納対象信号に応じて実行させる状態信号検出プログラムが異なり複数存在したとしても、プログラム記憶手段を共用してこれにまとめて格納すれば、構成に合わせてプログラムを書き換える手間を省くことが可能となる。
【００１５】
請求項５の発明によれば、設定値状態信号をスロットマシンから直接出力でき、設定値状態検出手段を省くことが可能となる。
【００１６】
請求項６，７の発明によれば、所定エリア内に設置された状態信号検出装置の状態信号に基づき、所定エリア内の各スロットマシンの設定値を所定エリア外で常時把握することができ、所定エリア内における内部不正の対応が容易となる。
【発明を実施するための最良の形態】
【００１７】
以下、本発明に係る実施の一形態を図面に基づいて説明する。図１は前扉を閉めた状態を示すスロットマシンの正面図、図２は前扉を開いた状態のスロットマシンに対して、本発明に係る状態信号検出装置（以下、子機とする）を取り付けた状態を示す取付説明図である。
【００１８】
図１及び図２中、１０はスロットマシンである。このスロットマシン１０は、本体１１と、この本体１１の前面片側に開閉可能に取り付けられた前扉９とを備えている。前扉９の表面には、３つのドラムを回転始動させるものであり、当たり確率の高低を表す設定値の変更を確定操作する確定操作手段としてスタートレバー２０が設けられている。また前扉９の裏面には、設定値を変更操作する変更操作手段としての設定スイッチ２３及び設定値視認用の設定値表示手段としての設定値表示部２４等が実装された中央表示基板３１が設けられている。本体１１には、スロットマシン１０の動作制御を行うメイン基板３２と、電源をオンオフするオンオフ操作手段としての電源スイッチ２１、設定キー挿入口２２、及び電源スイッチ２１の操作に対応して発光表示するオンオフ表示灯３７が設けられた電源部３０と、設定値変更を確定する確定操作手段としてのスタートレバー２０の叩打操作毎に確定状態を検知し、対応する確定状態信号としての叩打状態信号を出力する端子を備えた確定状態検出手段としての外部集中端子板２７とが配設されている。
【００１９】
中央表示基板３１は、設定スイッチ２３の押下操作毎に、設定値１から設定値６までを繰り返し１ずつ増加させ、設定値１〜６に対応する設定値状態信号を生成する設定値状態信号生成手段を備えるように構成されている。さらに中央表示基板３１は、押下操作毎に増加する設定値１〜６を設定値表示部２４で発光表示させるように構成されている。
【００２０】
また、中央表示基板３１は、メイン基板３２に対してハーネス３３で接続されている。中央表示基板３１において設定スイッチ２３の押下操作毎に生成出力された設定値１〜６に対応する設定値信号は、ハーネス３３の対応する信号線を介して、メイン基板３２の所定の入力ポートへ伝送される。この信号に基づき、メイン基板３２では、絵柄を揃える等の当たり確率の高低を６段階に調整制御する。またメイン基板３２には、ハーネス３４の電源線を介して電源部３０から動作電力が供給されている。また中央表示基板３１には、メイン基板３２を経由しハーネス３３の電源線を介して電源部３０から動作電力が供給されている。
【００２１】
子機１２は、電源部３０の電源スイッチ２１のオンオフ操作毎にオンオフ状態を検知し、対応するオンオフ状態信号を出力するオンオフ状態検出手段としての電源センサ２５と、設定スイッチ２３の押下操作毎に設定値状態を検知し、対応する設定値状態信号を出力する設定値状態検出手段としての設定値センサ２６と、スタートレバー２０の叩打操作毎に叩打状態を検知し、対応する叩打状態信号を出力する叩打状態検出手段としての外部集中端子板２７と、電源センサ２５、設定値センサ２６及び外部集中端子板２７で検知されたそれぞれの状態信号を書き込むと共に読み出し可能に格納する状態信号格納手段２８と、を備えて構成されている。
【００２２】
電源センサ２５は、電源部３０からメイン基板３２へ電源電流を流す電源線（ハーネス３４）に対して非接触で取り付け可能にクランプ状に形成され、電源線で電源電流波形を磁気的に検知するように構成されている。電源センサ２５は、電源のオンオフ状態を信号線４１を介して子機１２に通知し、子機１２において、電源がオンからオフへ移行した際の立ち上がりをとらえ、子機１２に内蔵された状態信号格納手段２８に入力される。状態信号格納手段２８では、入力した電源のオンからオフへの立ち上がりによって、第１フラグがセットされ、オンオフ状態信号として格納される。
【００２３】
設定値センサ２６は、中央表示基板３１で生成された設定値信号をメイン基板３２へ流す信号線（ハーネス３３）に対して非接触で取り付け可能にクランプ状に形成され、信号線での電流波形を磁気的に検知するように構成されている。設定値センサ２６は、設定スイッチ２３の押下操作毎に、所定のパルス状の設定値状態信号を１回出力するように構成されている。出力された設定値状態信号は、信号線４２を介して、子機１２の状態信号格納手段２８に入力される。状態信号格納手段２８では、設定値状態信号の入力によって、第２フラグがセットされるとともに、設定スイッチ２３の押下操作回数を計数して生成された押下操作回数データが格納される。
【００２４】
外部集中端子板２７は、スタートレバー２０の叩打操作毎に、所定のパルス状の叩打状態信号を１回出力する様に構成されている。出力された叩打状態信号は、信号線４３を介して、子機１２の状態信号格納手段２８に入力される。状態信号格納手段２８では、叩打状態信号の入力によって、第３フラグがセットされ、叩打状態信号として格納される。また、子機１２は、第１〜第３フラグと押下操作回数データを加工して所定のシリアルデータで読み出し可能に構成されている。
【００２５】
図３は本発明に係る設定値の不正変更監視システムの実施の一形態を示すシステム構成図である。本システム５０は、本部及びＡ〜Ｎ店からなる遊技店グループの各店舗に導入されている。例えば、Ｎ店では、所定エリアである店舗内のいわゆる島を群として、１〜ｎ群に設置された全スロットマシン１０の各設定値を監視するように構成されている。
【００２６】
１群には台番号１／１〜１／ａの子機１２が、２群には台番号２／１〜２／ｂの子機１２が、ｎ群には台番号ｎ／１〜ｎ／ｃの子機１２が、それぞれ対応するスロットマシン１０に取り付けられている。各群の子機１２は、台番号１／０〜ｎ／０の親機１３に、相互通信可能に接続されている（ａ，ｂ，ｃ，ｎは任意の整数）。また、店舗内は、第１通信手段としてイーサネット（登録商標）接続方式が採用され、いわゆるＬＡＮが構築されている。各群の親機１３は、通信要求のあった子機１２から読み出したシリアルデータを、イーサネット仕様のデータ形式に変換して格納可能に構成されている。また各群の親機１３は、ハブ１４を介して、サーバ手段としてのＤＢサーバ１５にＬＡＮ接続され、格納されたシリアルデータをＤＢサーバ１５へ転送可能に構成されている。
【００２７】
ＤＢサーバ１５では、オンオフ状態信号、設定値状態信号、及び、確定状態信号を上述のシリアルデータとして受信し、格納可能に構成されている。また、ＤＢサーバ１５は、情報端末としての本部ＰＣ１６及び管理会社ＰＣ１７に、第２通信手段としてのＶＰＮ（Ｖｉｒｔｕａｌ  Ｐｒｉｖａｔｅ  Ｎｅｔｗｏｒｋ）４０を介して相互通信可能に接続されている。本部ＰＣ１６には、ＤＢサーバ１５に格納された子機１２の設定値状態信号及び本部ＰＣ１６に予め格納された設定値情報に基づいて、設定値の変更操作が不正か否かを判定する判定手段１８が一体的に設けられている。
【００２８】
次に、スロットマシン１０の設定値の変更操作手順について説明する。
本システム５０における各Ａ〜Ｎ店では、本部から予め指示された設定値となるように各スロットマシン１０の設定値が日常的に変更操作され設定されている（図４、Ｓ１）。各Ａ〜Ｎ店に指示された設定値は、基準の設定値情報として、本部ＰＣ１６に格納されている。このような設定値の変更操作手順は、先ず前扉９を開け、電源部３０に設けられた電源スイッチ２１をオフにする。次に設定キー挿入口２２に設定キーを挿入して設定値変更可能側（ＯＮ側）に設定キーを回す。そして電源スイッチ２１をオンにする。この時、現在の設定値が設定値表示部２４に表示され、設定値の変更が可能となる。この状態で設定スイッチ２３を押下操作して、設定値表示部２４の表示を見ながら指示された設定値に変更する。スタートレバー２０を叩打して設定値の設定を確定させる。そして設定キーを設定値変更不可側（ＯＦＦ側）に回して、前扉９を閉じ、スロットマシン１０を遊技可能にして設定値変更操作手順を終了させる（図４、Ｓ２）。ただし、このような本部からの指示による設定値の変更は不正行為ではない。したがって、本システム５０では、設定値変更操作終了まで不正変更監視機能は無効とされている。設定値変更操作終了後に速やかに設定値監視を開始する（図４、Ｓ３）。
【００２９】
次に、本システム５０による設定値の不正変更監視手順を説明する。
本システム５０が有効となっており、上記のような本部からの指示によらずに、設定値の変更を行った場合には、以下の手順で設定値の不正変更を監視する。
【００３０】
任意のスロットマシン１０において、電源部３０の電源スイッチ２１がオフ操作からオン操作された場合（図５、Ｓ１）、電源センサ２５によって電源のオフ状態からオン状態への移行操作時の波形立ち上がりを検知し、オンオフ状態信号を出力して、子機１２の第１フラグをセットする（図５、Ｓ２）。続いて、設定スイッチ２３が押下操作された場合（図５、Ｓ３）、設定値センサ２６によって押下操作毎に設定値状態を検知し、設定値状態信号を出力して、子機１２の第２フラグをセットする（図５、Ｓ４）。同時に押下操作回数を計数する。さらに続いて、スタートレバー２０が叩打された場合（図５、Ｓ５）、外部集中端子板２７から出力された叩打状態信号を受信して、子機１２の第３フラグをセットする（図５、Ｓ６）。
【００３１】
子機１２は、第１〜第３フラグが設定値変更操作の順にセットされた場合（図５、Ｓ７）、第１〜第３フラグ、及び押下操作回数データを格納する（図５、Ｓ８）。同時に親機１３に対して通信要求信号を出力し、子機１２から読み出され出力された第１〜第３フラグ、及び押下操作回数データを含んでなるシリアルデータを親機１３に格納する（図５、Ｓ９）。そして、親機１３で所定のデータ形式に変換されたシリアルデータをＤＢサーバ１５に格納する（図５、Ｓ１０）。そして、格納終了指示があるまで、Ｓ１からＳ１０を繰り返す。
【００３２】
一方、本部ＰＣ１６では、ＤＢサーバ１５に格納されたシリアルデータをＶＰＮ４０を介して本部ＰＣ１６に格納する（図６、Ｓ３−１１）。そして、本部ＰＣ１６では、判定手段１８によって、基準の設定値とシリアルデータに基づく変更操作後の設定値とを比較して、設定値が不正変更されているか否かを判定する（図６、Ｓ３−１２）。両者が等しい場合は設定値の不正変更が行われていないとして、監視を継続する（図６、Ｓ３−１４）。一方、両者が異なる場合は設定値の不正変更が行われている虞れがあるとして、本部ＰＣ１６のモニタに警報表示し（図６、Ｓ３−１３）、注意・準備を本部従業員に促す。本部従業員は、警報表示の後、本部ＰＣ１６の所定操作によって、警報発信元の店舗名、その連絡先、不正行為の対象スロットマシンの台番号等の詳細情報を表示させ、迅速に対応する。
【００３３】
上記子機１２によれば、スロットマシンを追加工することなく、非接触で取り付けることができ、設定値の変更操作に関係する操作状態を検知して、その操作状態信号を読み書き自在に格納することができる。また上記システム５０によれば、各スロットマシンの設定値を店舗外の従業員が常時把握することができ、店舗内従業員による内部不正にも対応が容易となる。また店舗内に設置された子機１２の設定値に基づき設定値の不正変更を簡単に監視できる。第２通信手段として、ＶＰＮを用いたことで、本部ＰＣに格納された基準の設定値等の改ざんをより高い確率で防止可能となり、設定値の不正変更の監視精度を向上できる。
【００３４】
次に、図７は前扉を開いた状態のスロットマシンに対して、本発明に係る他の実施形態の状態信号検出装置を取り付けた状態を示す取付説明図であり、図８は設定値センサの変更例を示す（ａ）は正面図、（ｂ）は右側面図である。
【００３５】
図７の状態信号検出装置１２０（以下、子機１２０とする）は、図１の子機１２と同様に、電源センサ２５と、設定値センサ５１と、スタートレバー２０の叩打操作毎に叩打状態を検知し、対応する叩打状態信号を出力する叩打状態検出手段としてのレバーセンサ２９と、電源センサ２５、設定値センサ５１及びレバーセンサ２９で検知されたそれぞれの状態信号を書き込むと共に読み出し可能に格納する状態信号格納手段２８０と、を備えて構成されている。
【００３６】
子機１２０において、電源センサ２５は、ハーネス３４の電源線ではなく、メイン基板３２と中央表示基板３１とを接続するハーネス３３の電源線に対して非接触で取り付けられている。また設定値センサ５１は、図８に示すように、設定値表示部２４の表示面とほぼ同じ大きさの透明フィルム５２と、透明フィルム５２を設定値表示部２４の表示面に貼り付けた際、発光素子としての７セグメント及びポイントセグメントを構成する８つのＬＥＤ素子の中央付近に配設される８つの光感知センサ素子５３と、パターンライン５４を通って各光感知センサ素子５３から出力される各出力信号を増幅するアンプ部５５と、を備えて構成されている。設定値センサ５１は、設定スイッチ２３の押下操作毎に、設定値１〜６に対応する７セグメントの発光と同時に、７つの内、対応する光感知センサ素子５３からアンプ部５５で増幅された所定のパルス状の設定値状態信号を所定時間毎に継続的に出力するように構成されている。出力された対応する設定値状態信号は、信号線４２を介して子機１２０の状態信号格納手段２８０に入力される。状態信号格納手段２８０では、設定値状態信号の入力によって、第１〜７セグメントフラグがセットされ、設定値状態信号として格納される。
【００３７】
レバーセンサ２９は、メイン基板３２で生成された叩打信号を外部集中端子板２７へ流す信号線（ハーネス３５）に対して非接触で取り付け可能にクランプ状に形成され、信号線で電流波形を磁気的に検知するように構成されている。レバーセンサ２９は、スタートレバー２０の叩打操作毎に、所定のパルス状の叩打状態信号を１回出力するように構成されている。出力された叩打状態信号は、信号線４３を介して、子機１２０の状態信号格納手段２８０に入力される。状態信号格納手段２８０では、叩打状態信号の入力によって、第３フラグがセットされ、叩打状態信号として格納される。また、子機１２０は、第１、第３フラグと第１〜第７セグメントフラグを加工して所定のシリアルデータで読み出し可能に構成されている。
【００３８】
図９は本発明に係る設定値の不正変更監視システムの他の実施形態を示すシステム構成図である。本システム５００は、前述のシステム５０と同様に、本部及びＡ〜Ｎ店からなる遊技店グループの各店舗に導入されている。尚、同一の構成、手順、作用及び効果については、説明を部分的に省略する。
【００３９】
本システム５００におけるＮ店内は、イーサネット接続方式が採用され、いわゆるＬＡＮが構築されている。各群の子機１２０は、シリアルデータを、イーサネット仕様のデータ形式に変換して格納可能に構成されている。また各群の子機１２０は、ルータ１９に接続されている。そして、ルータ１９は、本部内に設置されたサーバ手段としてのＤＢサーバ１５０に、ＶＰＮ４０を介して接続されている。ＤＢサーバ１５０は、ＶＰＮ４０を介して通信要求のあった子機１２０からシリアルデータを読み出し格納可能に構成されている。またＤＢサーバ１５０は、本部ＰＣ１６に相互通信可能に接続されている。
【００４０】
以下に本システム５００による設定値の不正変更監視手順を説明する。
任意のスロットマシン１０において、電源部３０の電源スイッチ２１がオフ操作からオン操作された場合（図５、Ｓ１相当）、電源センサ２５によって電源のオフ状態からオン状態への移行操作時の波形立ち上がりを検知し、オンオフ状態信号を出力して、子機１２０の第１フラグをセットする（図５、Ｓ２相当）。続いて、設定スイッチ２３が押下操作された場合（図５、Ｓ３相当）、設定値センサ５１によって押下操作毎に設定値状態を検知し、設定値状態信号を出力して、子機１２０の対応する第１〜第７セグメントフラグをセットする（図５、Ｓ４相当）。さらに続いて、スタートレバー２０が叩打された場合（図５、Ｓ５相当）、叩打操作毎に叩打状態を検知し、叩打状態信号を出力して、子機１２０の第３フラグをセットする（図５、Ｓ６相当）。
【００４１】
子機１２０は、第１フラグ、第１〜第７セグメントフラグ、第３フラグが設定値変更操作の順にセットされた場合（図５、Ｓ７相当）、第１、第３フラグ、及び第１〜第７セグメントフラグを格納する（図５、Ｓ８相当）。同時にＤＢサーバ１５０に対して通信要求信号を出力し、子機１２０から読み出され出力された第１〜第３フラグ、及び第１〜第７セグメントフラグを含んでなり所定のデータ形式に変換されたシリアルデータは、ＶＰＮ４０を介してＤＢサーバ１５０に格納される（図５、Ｓ１０相当）。
【００４２】
一方、本部ＰＣ１６では、ＤＢサーバ１５０に格納されたシリアルデータを格納して（図６、Ｓ３−１１相当）シリアルデータに含まれている第１〜第７セグメントフラグから変更操作後の設定値を算出する。そして、本部ＰＣ１６では、判定手段１８によって、基準の設定値とシリアルデータに基づく変更操作後の設定値とを比較して、設定値が不正変更されているか否かを判定する（図６、Ｓ３−１２相当）。両者が等しい場合は設定値の不正変更が行われていないとして、監視を継続する（図６、Ｓ３−１４相当）。一方、両者が異なる場合は設定値の不正変更が行われている虞れがあるとして、本部ＰＣ１６のモニタに警報表示する（図６、Ｓ３−１３相当）。
【００４３】
上記の本子機１２０によれば、設定値状態に関する信号の通る信号線が取り扱いにくいスロットマシンについても、追加工することなく取り付けることができ、容易に設定値を把握することができる。また、本システム５００によれば、システム５０に比較して、必要な手順を省くことができ、システムの安定度を向上可能となる。
【００４４】
次に、図１０は、前扉を開いた状態のスロットマシンに対して、本発明に係る他の実施形態の状態信号検出装置を取り付けた状態を示す取付説明図であり、図１１は設定値センサの変更例を示す（ａ）は正面図、（ｂ）は右側面図であり、図１２は電源センサの変更例を示す（ａ）は正面図、（ｂ）は右側面図である。
【００４５】
図１０の状態信号検出装置１２１（以下、子機１２１とする）は、設定値を発光素子によって発光表示する設定値表示部２４を備えるスロットマシン１０に取り付けられ、発光素子の発光状態に対応する設定値状態信号を検出するように構成されてなるものである。子機１２１は、発光素子の発光状態を検知し、対応する設定値状態信号を出力する設定値状態検出手段としての設定値センサ１５１と、設定値センサ１５１で検知された状態信号を書き込むと共に読み出し可能に格納する状態信号格納手段２９０と、を備えて構成されている。また、子機１２１は、電源スイッチ２１の操作毎にオンオフ状態を検知し、対応するオンオフ状態信号を出力するオンオフ状態検出手段としての電源センサ１２５を備えている。
【００４６】
図１１の設定値センサ１５１は、設定値表示部２４の表示面に対して所定位置に配置され８つのＬＥＤ素子の発光を読み取る発光状態読取手段としての透明シート状体１５２と、透明シート状体１５２で読み取った発光状態に対応して所定の電気信号を出力する光感知センサ素子１５７とから構成されている。
【００４７】
透明シート状体１５２は、中間シート状体１５３と、中間シート状体１５３を両側から挟み込む２枚の外側シート状体１５４との３層からなり、設定値表示部２４の表示面よりも広い面積で、比較的薄い長方形のシート状に形成されている。また、透明シート状体１５２は、所定位置に配置された際、設定値表示部２４によって発光表示された設定値の視認性が確保される程度の透明度を備えている。中間シート状体１５３には、８つＬＥＤ素子に対して中央付近に配置され各発光を受光する８つの受光部１５５と、８つの受光部１５５で受光した光を一辺側へ個々独立して導く８本の導光路１５６とが設けられている。また、光感知センサ素子１５７は、８本の導光路１５６を介して各受光部１５５で受光した光を個々に感知するように、中間シート状体１５３の一辺側に設けた基板１５８上に８個配置されている。各光感知センサ素子１５７は、信号線４２を介して、子機１２１の状態信号格納手段２９０に接続されている。
【００４８】
図１２の電源センサ１２５は、設定値センサ１５１と同様に、電源部３０のオンオフ表示灯３７に対して所定位置に配置され、オンオフ表示灯３７の発光状態を読み取る発光状態読取手段としての３層構造の透明シート状体１２６と、透明シート状体１２６で読み取った発光状態に対応して所定の電気信号を出力する光感知センサ素子１２７とから構成されている。透明シート状体１２６の中間層には、オンオフ表示灯３７に対して中央付近に配置され各発光を受光する１つの受光部１２８と、受光部１２８で受光した光を一辺側へ個々独立して導く１本の導光路１２９とが設けられている。また、光感知センサ素子１２７は、導光路１２９を介して受光部１２８で受光した光を感知するように、透明シート状体１２６の一辺側に設けた基板１３０上に１個配置されている。光感知センサ素子１２７は、信号線４１を介して、子機１２１の状態信号格納手段２９０に接続されている。
【００４９】
設定値センサ１５１は、設定スイッチ２３の押下操作毎に、設定値１〜６に対応する７セグメントの発光と同時に、透明シート状体で受光した光を対応する光感知センサ素子１５７へ導光路１５６を介して導く。また、光を感知した光感知センサ素子１５７は、所定の電気信号を出力する。出力された電気信号は、信号線４２を介して、子機１２１の状態信号格納手段２９０に入力される。状態信号格納手段２９０では、電気信号の入力によって対応する第１〜７セグメントフラグがセットされ、設定値状態信号として格納される。
【００５０】
電源センサ１２５は、電源スイッチのオンオフ操作毎に、オンオフ表示灯３７の点灯消灯に基づき、電源のオンオフ状態を示す電気信号を、信号線４１を介して子機１２１の状態信号格納手段２９０に出力する。状態信号格納手段２９０では、入力された電気信号の立ち上がりをとらえることで、対応する第１フラグがセットされ、オンオフ状態信号として格納される。
【００５１】
子機１２１を用いたシステム５１０は、前述のシステム５０と同様に、本部及びＡ〜Ｎ店からなる遊技店グループの各店舗に導入されている。尚、同一の構成、手順、作用及び効果については、説明を部分的に省略する。
【００５２】
次に、本システム５１０による設定値の不正変更監視手順を説明する。
本システム５１０が有効となっており、上記のような本部からの指示によらずに、設定値の変更を行った場合には、以下の手順で設定値の不正変更を監視する。
【００５３】
任意のスロットマシン１０において、電源部３０の電源スイッチ２１がオフ操作からオン操作された場合（図１３、Ｓ１）、電源センサ１２５によって電源のオフ状態からオン状態への移行操作時の波形立ち上がりを検知し、オンオフ状態信号を出力して、子機１２１の第１フラグをセットする。続いて、設定値センサ１５１によって設定値表示部２４の発光状態を検知し、設定値状態信号を出力して、状態信号格納手段２９０の対応する第１〜第７セグメントフラグをセットする（図１３、Ｓ２）。
【００５４】
設定値が有効であるか否かの判断は、ポイントセグメントＬＥＤの点灯状態に基づき行われる（図１３、Ｓ３）。読み込んだ設定値が有効であれば、第１〜第７セグメントフラグを状態信号格納手段２９０に格納する（図１３、Ｓ４）。同時に親機１３に対して通信要求信号を出力し、子機１２１から読み出され出力された第１〜第７セグメントフラグを含んでなるシリアルデータを親機１３に格納する（図１３、Ｓ５）。そして、親機１３で所定のデータ形式に変換されたシリアルデータをＤＢサーバ１５に格納する（図１３、Ｓ６）。そして、格納終了指示があるまで、Ｓ１からＳ６を繰り返す。
【００５５】
本部ＰＣ１６では、システム５０と同様に、変更操作後の設定値を算出する。そして、判定手段１８によって、基準の設定値と変更操作後の設定値とを比較して、設定値が不正変更されているか否かを判定する（図６、Ｓ３−１２相当）。
【００５６】
上記子機１２１によれば、子機１２，１２０に比較して、構成部品の点数を減らし、小型化でき、取り付けを容易にできる。また上記システム５１０によれば、システム５０，５００と同様の効果を得ることができる。
【００５７】
次に、図１０に示した子機１２１の変更例として、子機１２２について説明する。
子機１２２は、子機１２１と同様に、１〜６の設定値を数字として発光表示するように７セグメントである７つのＬＥＤ素子６１〜６７を配置した縦長の長方形状の表示面、及び所定の厚みを確保する４側面を備えてなる設定値表示部２４を備えるスロットマシン１０に取り付けられ、発光素子としてのＬＥＤ素子の発光状態に対応する設定値状態信号を検出するように構成されてなるものである。子機１２２は、ＬＥＤ素子の発光状態を検知し、対応する設定値状態信号を出力する設定値状態検出手段としての設定値センサ１５２と、設定値センサ１５２で検知された状態信号を書き込むと共に読み出し可能に格納する状態信号格納手段２９２と、を備えて構成されている。
【００５８】
設定値センサ１５２は、子機１２１の設定値センサ１５１と異なり、設定値表示部２４に対して、７つのＬＥＤ素子６１〜６７のうち特定のＬＥＤ素子の発光状態を選択して検知するように構成されている。ここで、ＬＥＤ素子の選択は、１〜６の設定値を数字として発光表示するために必要なＬＥＤ素子ではなく、１〜６の設定値を判別するための必要なＬＥＤ素子の組み合わせを抽出することによって行う。
【００５９】
すなわち、図１４（ｃ）に示すように、スロットマシン１０の設定値表示部２４では、１〜６の設定値を数字として発光表示させるため、設定値が”１”の時にＬＥＤ素子６５，６６が、設定値が”２”の時にＬＥＤ素子６２，６３，６４，６５，６７が、設定値が”３”の時にＬＥＤ素子６３，６４，６５，６６，６７が、設定値が”４”の時にＬＥＤ素子６１，６５，６６，６７が、設定値が”５”の時にＬＥＤ素子６１，６３，６４，６６，６７が、設定値が”６”の時はＬＥＤ素子６１，６２，６３，６４，６６，６７が発光する。
【００６０】
この発光状態から、設定値が”１”の時はＬＥＤ素子６５、設定値が”２”の時はＬＥＤ素子６２，６３，６５、設定値が”３”の時はＬＥＤ素子６３，６５、設定値が”４”の時はＬＥＤ素子６１，６５、設定値が”５”の時はＬＥＤ素子６１，６３、設定値が”６”の時はＬＥＤ素子６１，６２，６３を組み合わせることで、１〜６の設定値を判別できることがわかる。よって、１〜６の設定値を判別するため、４つのＬＥＤ素子６１，６２，６３，６５が抽出される。
【００６１】
この抽出に基づき、設定値センサ１５２は、これら４つのＬＥＤ素子６１，６２，６３，６５に対応する所定位置に配置された光感知センサ素子５３から所定のパルス状の設定値状態信号を所定時間毎に継続的に出力するように構成されている。図１４（ａ）、（ｂ）に示すように、設定値センサ１５２は、設定値表示部２４の表示面とほぼ同じ大きさのプリント基板に７つのＬＥＤ素子を外部から視認可能とする表示窓を設け、設定値表示部２４の４側面を支持して、表示窓を表示面の所定位置に位置決めするように形成してなる箱形状の表示部カバー６８と、表示部カバー６８を設定値表示部２４に装着した際、４つのＬＥＤ素子６１，６２，６３，６５の中央位置付近に配置される４つの光感知センサ素子５３と、各光感知センサ素子５３に接続されたパターンライン５４を信号線４４に接続する接続部６９と、を備えて構成されている。光感知センサ素子５３は、信号線４４を介して、子機１２２の状態信号格納手段２９２に接続されている。
【００６２】
したがって、設定値センサ１５２では、設定値が”１”の時はＬＥＤ素子６５、設定値が”２”の時はＬＥＤ素子６２，６３，６５、設定値が”３”の時はＬＥＤ素子６３，６５、設定値が”４”の時はＬＥＤ素子６１，６５、設定値が”５”の時はＬＥＤ素子６１，６３、設定値が”６”の時はＬＥＤ素子６１，６２，６３のそれぞれ対応する光感知センサ素子５３から設定値状態信号が出力される。出力された対応する設定値状態信号は、信号線４４を介して子機１２２の状態信号格納手段２９２に入力される。状態信号格納手段２９２では、設定値状態信号の入力によって、４つのＬＥＤ素子６１，６２，６３，６５に対応する４つの第１、第２、第３、第５セグメントフラグがセットされ、設定値状態信号として格納される。
【００６３】
上記構成の子機１２２を用いた設定値監視システム５１２は、図３に示す前述のシステム５０と同様に、本部及びＡ〜Ｎ店からなる遊技店グループの各店舗に導入されている。尚、同一の構成、手順、作用及び効果については、説明を部分的に省略する。
【００６４】
次に、本システム５１２による設定値の不正変更監視手順を説明する。
本システム５１２が有効となっており、上記のような本部からの指示によらずに、設定値の変更を行った場合には、以下の手順で設定値の不正変更を監視する。
【００６５】
店舗内の任意のスロットマシン１０において、設定値の変更操作手順では、先ず電源スイッチ２１をオフにする。このオフ操作によって、設定値表示部２４のＬＥＤ素子６１〜６７が全て消灯する。設定値センサ１５２では、４つのＬＥＤ素子６１，６２，６３，６５に配置された光感知センサ５４によってこの消灯状態を検知し、第１〜第７セグメントフラグを全てリセットする。そして設定キーを設定値変更可能側に回した後、電源スイッチ２１をオン操作した時、変更前の現在の設定値に対応するＬＥＤ素子が点灯する。設定値センサ１５２では、４つのＬＥＤ素子６１，６２，６３，６５について、全消灯から現在の設定値に対応するいずれかが点灯する発光状態の変化を検知し、この発光状態の変化をトリガとして、オンオフ状態信号を出力して、子機１２２の第１フラグをセットする。続いて設定値表示部２４の発光状態を検知し、対応する設定値状態信号を状態信号格納手段２９２へ出力して、４つの第１、第２、第３、第５セグメントフラグのうち対応するものをセットする（図１３、Ｓ２相当）。尚、子機１２２の設定値センサ１５２によって消灯から点灯への発光状態の変化を検知することは、子機１２１の電源センサ１２５によって電源スイッチ２１のオンオフ操作を検知することに相当する。
【００６６】
設定値が有効であるか否かの判断は、ＬＥＤ素子６１，６２，６３，６５の発光状態に基づき、１〜６の設定値を判別する組み合わせであるか否かで行われる（図１３、Ｓ３相当）。続けて、第１〜第７セグメントフラグを状態信号格納手段２９２に格納する（図１３、Ｓ４相当）。同時に親機１３に対して通信要求信号を出力し、子機１２２から読み出され出力された第１〜第７セグメントフラグを含んでなるシリアルデータを親機１３に格納する（図１３、Ｓ５相当）。そして、親機１３で所定のデータ形式に変換されたシリアルデータをＤＢサーバ１５に格納する（図１３、Ｓ６相当）。そして、格納終了指示があるまで、Ｓ１からＳ６を繰り返す。
【００６７】
本部ＰＣ１６では、システム５０と同様に、変更操作後の設定値を算出する。そして、判定手段１８によって、基準の設定値と変更操作後の設定値とを比較して、設定値が不正変更されているか否かを判定する（図６、Ｓ３−１２相当）。
【００６８】
上記子機１２２によれば、子機１２，１２０，１２１に比較して、構成部品の点数をさらに減らし、小型化でき、取り付けを容易にできる。また上記システム５１２によれば、システム５０，５００，５１０と同様の効果を得ることができる。
【００６９】
尚、本発明は上記実施形態に限定されるものではなく、以下列挙するように、本発明の趣旨を逸脱しない範囲で各部の形状並びに構成を適宜に変更して実施することも可能である。
（１）本子機及びシステムは、図１、２、７、１０のスロットマシンに限らず、電源をオンオフするオンオフ操作手段、当たり確率の高低を表す設定値を変更操作する変更操作手段、及び、設定値の変更を確定操作する確定操作手段に相当する構成を備えるものであれば、メイン基板、中央表示基板等の配置の異なる他のスロットマシンについても適用可能である。
（２）本システムは、一般公衆回線を利用したＶＰＮに限らず、専用線等のクローズド回線を用いてＤＢサーバと本部ＰＣとを接続して構成しても良い。さらに、クローズド回線にＶＰＮを設けても良い。もちろん、セキュリティ性が皆無となる開放された公衆回線を介して接続して構成できる。
（３）本状態信号検出装置は、設定値が１〜６の値であるスロットマシンに限らず、設定値が１，２や１，６等の他の値からなるスロットマシンにも適用可能である。ただし、この場合、変更後の設定値を算出する手順等を、所定の手順に変更することが必要となる。
（４）設定値状態検出手段は、設定値表示手段や信号線から設定値状態信号を検出するものに限らず、例えば、外部集中端子板等、設定値状態に関する信号を直接取り出せる出力端子を備えるスロットマシンについては、その出力端子から出力された信号をそのまま利用するか或いは調整することによって、状態信号格納手段に格納する設定値状態信号として利用することもできる。この場合、電流センサや設定値センサ等を省くことが可能となり、構成を簡素化できる。
（５）設定値の変更操作が不正か否かの判定は、ＤＢサーバ１５で行うように構成しても良い。また、判定手段１８は、本部ＰＣ１６及びＤＢサーバ１５の両方に設け選択的に使用可能に構成することも可能である。この場合も、本部ＰＣ１６で行う場合と同様の作用効果を得ることができる。
【００７０】
（６）子機１２，１２０，１２１は、どのような方式で接続しても良く、全てをイーサネット接続方式等で通信可能に接続しても良い。
（７）各Ａ〜Ｎ店には、ＤＢサーバ１５にモニタを設けて、自店における各スロットマシン１０の設定値を逐次表示するように構成することも可能である。
（８）親機１３と子機１２，１２１、１２２の間、ルータ１９と子機１２０の間は、有線に限らず無線による通信手段で接続しても良い。
（９）警報表示は、本部ＰＣ１６だけでなく、管理会社ＰＣ１７や他店舗に設けたモニタに表示させても良い。
（１０）本システムのモニタでは、詳細情報として、店内見取り図をポップアップ表示させ、不正行為の対象スロットマシンの位置を異なる色を用いて点滅表示させても良い。
（１１）確定状態検出手段は、スタートレバーに限らず、設定値の確定状態を示すものであれば、例えば、図８のように設定値表示部２４のポイントセグメントＬＥＤを設定値の確定時に点灯させ、設定値センサ５１を利用して検出する等、他の手段を用いて構成することも可能である。
【００７１】
（１２）本システム５００では、ＤＢサーバ１５または親機１３において、シリアルデータに含まれている第１〜第７セグメントフラグから変更操作後の設定値を算出させても良い。
（１３）本システム５０，５００では、子機１２，１２０，１２２を相互に置き換えて、設定値の不正変更監視を行うことが可能である。例えば、システム５０の場合は、ＤＢサーバ１５に子機１２０を接続して構成する。またシステム５００の場合は、ルータ１９に、ハブ１４及び親機１３を介して、子機１２を接続するように構成する。同様に、システム５００，５１０では、子機１２０，１２１を相互に置き換えて、システム５１０，５１２では、子機１２１，１２２を相互に置き換えて、それぞれ設定値の不正変更監視を行うことが可能である。
（１４）本システム５００は、ＤＢサーバ１５０に相当するサーバ機能を内蔵した本部ＰＣ１６を使用して構成可能である。この場合は、システムの構成をより簡素化できる。
（１５）サーバ手段は、所定エリア内外のそれぞれに設け、相互通信可能に接続しても良い。この場合、各店等の所定エリア内においても判定手段を設けて判定可能に構成すれば、本部ＰＣ或いはＶＰＮ等の所定エリア外のシステム構成に通信障害等のトラブルが生じて、所定エリア外における不正監視機能が停止状態になったとしても、所定エリア内において独立して不正監視機能を継続維持することが可能となる。
（１６）子機１２１は、設定値センサ１５１のみを設けて構成することもできる。この場合のシステムでは、親機１３、ＤＢサーバ１５、本部ＰＣ１６等によって、子機１２１に格納された設定値状態信号を逐次読み出し、本部ＰＣ１６の設定値と定期的に比較判定することで、他のシステム５０、５００と同様の作用効果を得ることが可能となる。
（１７）子機１２０，１２１では、第１〜第７セグメントフラグを含んでなるシリアルデータを状態信号格納手段２９０に格納することに限らず、第１〜第７セグメントフラグのセット状態に基づき、設定値１〜６に対応する例えば１０進化データ等に変換した状態で格納しても良い。
【００７２】
（１８）図１１の設定値センサ１５１及び図１２の電源センサ１２５は、３層構造に限らず、型成形によって１層化することも可能である。
（１９）設定値センサは、受光部で受光した光を導く導光路として、光ファイバを用いて構成することも可能である。この場合、光ファイバは、状態信号格納手段まで引き込み可能な長さが確保され、光ファイバで導かれた光を感知する光感知センサ素子１５７は、子機１２１の本体側に内蔵して構成される。この構成によれば、発光素子の発光状態に対応させることによって設定値状態信号を検出するので、スロットマシン１０内の制御回路等から周辺環境へ放射されるノイズに対して、装置の耐ノイズ性を向上させることが可能となる。よって、検知した設定値状態信号と基準の設定値状態信号と同一性の確保が容易となり、装置の信頼性を向上できる。
（２０）信号線４１，４２，４３は、センサが電流波形を磁気的に検知するものの場合、いわゆるツイストペアケーブルを使用することが望ましい。ツイストペアケーブルを使用すればセンサから出力された信号をアナログのまま子機へ伝送可能となるので、デジタル変換して増幅する等の波形加工を行うことが不要となり、耐ノイズ性を高めることができる。
【００７３】
（２１）本システムは、設定値の不正変更を監視するだけでなく、設定値の確認操作を監視することも可能である。本システムによって設定値の確認操作を監視する場合、電源スイッチ２１をオンにしたまま設定キーが所定位置に回され、設定値表示部２４に現在の設定値が発光表示される。この時、例えば、設定値センサ１５２によって４つのＬＥＤ素子６１，６２，６３，６５の発光状態を検知し、対応する設定値状態信号を状態信号格納手段２９２へ格納する。その後の発光状態に対応した設定値状態信号の格納は、所定間隔毎に繰り返し行う。そして設定値の発光表示が解除された時、状態信号格納手段２９２に格納しておいた発光表示直後の設定値状態信号と、発光表示直前までの格納されていた複数の設定値状態信号とを比較する。比較の結果、全て等しいものであれば、設定値の確認操作が行われたものとする。
（２２）設定値センサ１５２は、４つのＬＥＤ素子６１，６２，６３，６５に限らず、４つのＬＥＤ素子６１，６２，６４，６５を選択し、対応する所定位置に光感知センサ素子５３を設けて構成することもできる。
（２３）設定値センサ１５２は、４つのＬＥＤ素子に限らず、２つ以上のＬＥＤ素子を選択すれば構成が可能である。
【００７４】
（２４）状態信号検出装置１２，１２０，１２１，１２２は、図５、図１３のフローチャートに沿う手順（ステップ）に沿って、それぞれの装置の持つ状態信号格納手段で格納される格納対象信号に応じて、設定値状態検出手段を検知動作及び出力動作させるとともに状態信号格納手段を格納動作するように、個々独立した状態信号検出プログラムによって実行させている。これらの複数の状態信号検出プログラムはまとめて一つのプログラム記憶手段に格納しても良い。複数の状態信号検出プログラムをプログラム記憶手段にまとめた場合、いわゆるＤＩＰスイッチ等の選択手段によって読み出す記憶領域を切り替えて、自己の持つ格納対象信号に応じて、状態信号検出プログラムを選択して読み出し、そのプログラムを実行させるように構成する。この場合には、格納対象信号に応じて実行させるプログラムが異なり複数存在したとしても、プログラム記憶手段としてのメモリを共用すれば、構成に合わせてプログラムを書き換える手間を省くことが可能となる。
（２５）状態信号格納手段は、設定値状態信号に限らず、外部集中端子板の出力端子から出力される稼働状態信号も格納するように構成しても良い。外部集中端子板は、稼働状態信号として、遊技メダル投入信号、遊技メダル払出信号、役物連続作動装置本当たり信号が、予め定められた出力端子から出力されるように構成されている。例えば子機１２２を用いた設定値監視システム５１２において、状態信号格納手段２９２をこれら稼働状態信号を格納可能に構成し、所定のタイミングで設定値状態信号と共にＤＢサーバ１５に格納し、本部ＰＣ１６に設けた稼働状態管理手段によって、遊技メダル投入枚数および獲得枚数、役物作動回数、役物連続作動装置作動回数、高確率役物遊技になった回数、役物連続作動増加装置作動回数等を集計し、各スロットマシン毎や各店舗毎の稼働状態を管理することも可能である。稼働状態管理手段を設けることで、設定値の不正変更を他の観点から判定することが可能となり、設定値監視システムによる監視結果について信頼性を向上できる。
（２６）本状態信号検出装置は、設定値を発光表示する設定値表示手段だけでなく、遊技メダルのクレジットを表示するものや、遊技メダルの払い出しを表示する等、稼働状態に関連する数字を発光表示する他のいわゆる７セグメントの発光状態を検知し、対応する状態信号を出力する複数の検出手段を設けて構成しても良い。この場合も、上記（２５）と同様に、本システムによる監視結果について信頼性を向上できる。
【図面の簡単な説明】
【００７５】
【図１】前扉を閉めた状態を示すスロットマシンの正面図である。
【図２】前扉を開いた状態のスロットマシンに対して、本発明に係る状態信号検出装置を取り付けた状態を示す取付説明図である。
【図３】本発明に係る設定値の不正変更監視システムの実施の一形態を示すシステム構成図である。
【図４】設定値変更操作及び設定値監視の手順を示すフローチャートである。
【図５】設定値の格納手順を示すフローチャートである。
【図６】設定値監視の実施の一形態を示すフローチャートである。
【図７】前扉を開いた状態のスロットマシンに対して、本発明に係る他の実施形態の状態信号検出装置を取り付けた状態を示す取付説明図である。
【図８】設定値センサの変更例を示す（ａ）は正面図、（ｂ）は右側面図である。
【図９】本発明に係る設定値の不正変更監視システムの実施の一形態を示すシステム構成図である。
【図１０】前扉を開いた状態のスロットマシンに対して、本発明に係る他の実施形態の状態信号検出装置を取り付けた状態を示す取付説明図である。
【図１１】設定値センサの変更例を示す（ａ）は正面図、（ｂ）は右側面図である。
【図１２】電源センサの変更例を示す（ａ）は正面図、（ｂ）は右側面図である。
【図１３】設定値の格納手順を示すフローチャートである。
【図１４】設定値センサの変更例を示す（ａ）は正面図、（ｂ）はＡ−Ａ断面図、（ｃ）は設定値表示部の表示状態を示す説明図である。
【符号の説明】
【００７６】
９・・前扉、１０・・スロットマシン、１１・・本体、１２，１２０，１２１，１２２・・状態信号検出装置（子機）、１３・・親機、１４・・ハブ、１５，１５０・・ＤＢサーバ、１６・・本部ＰＣ、１７・・管理会社ＰＣ、１８・・判定手段、１９・・ルータ、２０・・スタートレバー、２１・・電源スイッチ、２２・・設定キー挿入口、２３・・設定スイッチ、２４・・設定値表示部、２５，１２５・・電源センサ、２６，５１，１５１，１５２・・設定値センサ、２７・・外部集中端子板、２８，２８０，２９０，２９２・・状態信号格納手段、３０・・電源部、３１・・中央表示基板、３２・・メイン基板、３３，３４，３５・・ハーネス、３７・・オンオフ表示灯、４０・・ＶＰＮ、４１，４２，４３，４４・・信号線、５０，５００，５１０，５１２・・不正変更監視システム、５２・・透明フィルム、５３，１２７，１５７・・光感知センサ素子、１２６，１５２・・透明シート状体、１２８，１５５・・受光部、１２９，１５６・・導光路、１３０，１５８・・基板、１５３・・中間シート状体、１５４・・外側シート状体。
【図１】
2008012270.tif 000003
【図２】
2008012270.tif 000004
【図３】
2008012270.tif 000005
【図４】
2008012270.tif 000006
【図５】
2008012270.tif 000007
【図６】
2008012270.tif 000008
【図７】
2008012270.tif 000009
【図８】
2008012270.tif 000010
【図９】
2008012270.tif 000011
【図１０】
2008012270.tif 000012
【図１１】
2008012270.tif 000013
【図１２】
2008012270.tif 000014
【図１３】
2008012270.tif 000015
【図１４】
2008012270.tif 000016